【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
複数のネットワーク装置を備える通信ネットワーク・システムであって、
前記複数のネットワーク装置の各々が、少なくとも１つのマルチ・ポート・スイッチを組み込み、
各前記マルチ・ポート・スイッチが、前記マルチ・ポート・スイッチを組み込んだ前記ネットワーク装置への接続と、前記複数のネットワーク装置の他の各々の１つによって組み込まれた他のマルチ・ポート・スイッチの少なくとも１つの他のポートへの接続と、を包む、通信ネットワーク・システム。
【請求項２】
各マルチ・ポート・スイッチが３ポート・スイッチまたは２ポート・スイッチの一方である、請求項１記載の通信ネットワーク・システム。
【請求項３】
請求項２記載の通信ネットワーク・システムにおいて、
各３ポート・スイッチが、初めのスイッチまたは仲介スイッチの一方であり、
前記初めのスイッチがデータ・ソースへの接続性を提供し、
前記仲介スイッチが前記複数のネットワーク装置の内の２つにおけるマルチ・ポート・スイッチ間の接続性を提供する、通信ネットワーク・システム。
【請求項４】
請求項２記載の通信ネットワーク・システムにおいて、
各２ポート・スイッチが終端スイッチであり、
前記終端スイッチが初めのスイッチまたは仲介スイッチへの接続性を提供し、
前記初めのスイッチがデータ・ソースへの接続性を提供し、
前記仲介スイッチが前記複数のネットワーク装置の内の２つにおけるマルチ・ポート・スイッチ間の接続性を提供する、通信ネットワーク・システム。
【請求項５】
各マルチ・ポート・スイッチが４ポート・スイッチまたは３ポート・スイッチの一方である、請求項１記載の通信ネットワーク・システム。
【請求項６】
各４ポート・スイッチが、同じネットワーク装置によって組み込まれた他の４ポート・スイッチへの接続を含む、請求項５記載の通信ネットワーク・システム。
【請求項７】
各３ポート・スイッチが、同じネットワーク装置によって組み込まれた他の３ポート・スイッチへの接続を含む、請求項５記載の通信ネットワーク・システム。
【請求項８】
前記複数のネットワーク装置の各々１つは、処理モジュール、パワー・モジュール、入出力モジュールまたはフィールド・デバイスの内少なくとも１つを備える、請求項１記載の通信ネットワーク・システム。
【請求項９】
少なくとも１つのマルチ・ポート・スイッチがマルチ・ポート・イーサネット・スイッチ・チップである、請求項１記載の通信ネットワーク・システム。
【請求項１０】
通信ネットワーク・システムであって、
少なくとも１つのマルチ・ポート・スイッチを含む第１ネットワーク装置と、
前記第１ネットワーク装置に対し平行に配置される少なくとも１つの仲介ネットワーク装置であって、前記少なくとも１つの仲介ネットワーク装置の各々１つが少なくとも１つのマルチ・ポート・スイッチを含み、前記少なくとも１つの仲介ネットワーク装置の内１つが、前記仲介ネットワーク装置の１つのマルチ・ポート・スイッチと前記第１ネットワーク装置の１つのマルチ・ポート・スイッチとを介して前記第１ネットワーク装置に通信可能に結合される、少なくとも１つの仲介ネットワーク装置と、
少なくとも１つのマルチ・ポート・スイッチを含む第２ネットワーク装置であって、前記第２ネットワーク装置が前記少なくとも１つの仲介ネットワーク装置に対し平行に配置され、前記第２ネットワーク装置が、前記仲介ネットワーク装置の１つのマルチ・ポート・スイッチと第２ネットワーク装置の１つのマルチ・ポート・スイッチとを介して前記少なくとも１つの仲介ネットワーク装置の内１つに通信可能に結合される、第２ネットワーク装置と、
を備える、通信ネットワーク・システム。
【請求項１１】
第１ネットワーク装置の各マルチ・ポート・スイッチが３ポート・スイッチである、請求項１０記載の通信ネットワーク・システム。
【請求項１２】
第１ネットワーク装置の各マルチ・ポート・スイッチが４ポート・スイッチである、請求項１０記載の通信ネットワーク・システム。
【請求項１３】
請求項１２記載の通信ネットワーク・システムにおいて、前記第１ネットワーク装置の前記少なくとも１つのマルチ・ポート・スイッチの各々における１つのポートは、前記第１ネットワーク装置の前記少なくとも１つのマルチ・ポート・スイッチにおける他のマルチ・ポート・スイッチへの接続専用とされる、通信ネットワーク・システム。
【請求項１４】
前記少なくとも１つの仲介ネットワーク装置の各々１つにおける各マルチ・ポート・スイッチが３ポート・スイッチである、請求項１０記載の通信ネットワーク・システム。
【請求項１５】
前記少なくとも１つの仲介ネットワーク装置の各々１つにおける各マルチ・ポート・スイッチが４ポート・スイッチである、請求項１０記載の通信ネットワーク・システム。
【請求項１６】
請求項１５記載の通信ネットワーク・システムにおいて、前記少なくとも１つの仲介ネットワーク装置の各々１つにおける各マルチ・ポート・スイッチの１つのポートは、前記少なくとも１つの仲介ネットワーク装置の各々１つの前記少なくとも１つのマルチ・ポート・スイッチにおける他のマルチ・ポート・スイッチへの接続専用とされる、通信ネットワーク・システム。
【請求項１７】
第２ネットワーク装置の各マルチ・ポート・スイッチが２ポート・スイッチである、請求項１０記載の通信ネットワーク・システム。
【請求項１８】
第２ネットワーク装置の各マルチ・ポート・スイッチが３ポート・スイッチである、請求項１０記載の通信ネットワーク・システム。
【請求項１９】
第２ネットワーク装置のマルチ・ポート・スイッチの各々の１つのポートが、前記第２ネットワーク装置の他のマルチ・ポート・スイッチ間への接続専用とされる、請求項１８記載の通信ネットワーク・システム。
【請求項２０】
通信ネットワーク横断アーキテクチャを提供する方法であって、
第１ネットワーク装置の第１マルチ・ポート・スイッチおよびデータ・ソースを通信接続によって接続するステップと、
前記第１ネットワーク装置の第２マルチ・ポート・スイッチおよび前記データ・ソースを通信接続によって接続するステップと、
前記第１ネットワーク装置の前記第１マルチ・ポート・スイッチと、前記第１ネットワーク装置に対し平行に配置される第２ネットワーク装置の第１マルチ・ポート・スイッチとを通信接続によって接続するステップと、
前記第１ネットワーク装置の前記第２マルチ・ポート・スイッチおよび前記第２ネットワーク装置の第２マルチ・ポート・スイッチを通信接続によって接続するステップと、
を含む、方法。
【請求項２１】
複数のネットワーク装置を有する通信ネットワークを通じて情報を伝播する方法であって、
マルチ・ポート・スイッチで、データ・コマンド／リクエストに関連付けられた信号を受信するステップであって、前記マルチ・ポート・スイッチが、前記複数のネットワーク装置のネットワーク装置によって統合される、ステップと、
前記データ・コマンド／リクエストに関連付けられた前記信号が、前記マルチ・ポート・スイッチを統合する前記ネットワーク装置に向けて指示されているかを決定するステップと、
前記データ・コマンド／リクエストが、前記マルチ・ポート・スイッチを統合する前記ネットワーク装置に向けて指示されていないと決定されるときに、前記複数のネットワーク装置における他のネットワーク装置によって統合される他のマルチ・ポート・スイッチに前記データ・コマンド／リクエストを転送するステップと、
を含む、方法。